(57)【特許請求の範囲】
【請求項１】
遊技機の遊技盤に直接又は他部材を介して間接的に固定され、前記遊技盤の前面と直交する前後方向において少なくとも前記遊技盤の前方側に、前記遊技盤の前面に沿って流下する遊技球を下方側に進入させつつ取り込む誘導口が形成されてなる筐体と、
少なくとも前記遊技盤の前面の前方側において前記誘導口を閉鎖可能な閉鎖部を備え、前記閉鎖部が前記誘導口を閉鎖する閉鎖位置と前記閉鎖部が前記閉鎖位置のときよりも遊技球が進入しやすい開放位置とで変位する開閉部材と、
駆動力を生じさせる駆動源と、
前記開閉部材と連動可能に構成されると共に前記駆動源の駆動力を受けて前記開閉部材を前後に変位させる構成をなし、前記閉鎖位置のときには前記閉鎖部を前記遊技盤の前方側に突出させて前記誘導口を閉鎖し、前記開放位置のときには前記閉鎖部を前記閉鎖位置のときよりも後退させて前記誘導口を開放するように前記開閉部材を変位させる伝達機構と、
を備え、
前記開閉部材は、前記伝達機構から作用を受ける被作用部が形成されており、
前記伝達機構は、前記開閉部材の上方又は下方若しくは側方において前記被作用部を前記遊技盤の後面よりも前方側の範囲で動作させるように構成され、
前記開閉部材は、前記開放位置にあるときに当該開閉部材の後端が前記遊技盤の後面と同位置又は当該後面の前方に位置するように構成されており、
前記駆動源は、前記遊技盤の後面よりも前方側において左右方向に直線的に移動するプランジャを有し、
前記伝達機構は、
前記駆動源の側方に配置されるとともに前記プランジャの左右方向の変位と連動して回動する構成をなし、前記遊技盤の後面よりも前方側において上下方向に延びる軸を中心として回動可能とされた第１伝達部材と、
上下方向において前記開閉部材と前記駆動源との間に配置されるとともに、前記遊技盤の後面よりも前方側における上下方向の軸線を中心として回動可能に構成され、且つ前記第１伝達部材からの作用を受けて回動し、その回動動作によって前記開閉部材の前記被作用部を前後方向に移動させる第２伝達部材とを有し、
前記第１伝達部材において前記第２伝達部材に作用する部分が前記遊技盤の後面よりも前方側で変位し、
前記第２伝達部材において前記第１伝達部材から作用を受ける部分及び前記開閉部材の前記被作用部に作用する部分が前記遊技盤の後面よりも前方側で変位することを特徴とする遊技機用可変入賞装置。
【請求項２】
前記開閉部材は、前記被作用部を自身の後部側に形成し、
前記伝達機構は、前記開閉部材を変位させるときに前記被作用部を前記遊技盤の前面と後面との間の厚み内で変位させるように作用することを特徴とする請求項１に記載の遊技機用可変入賞装置。
【請求項３】
前記開閉部材は、前記開放位置のときに前端が前記遊技盤の前面よりも前方に位置するように構成されていることを特徴とする請求項１又は請求項２に記載の遊技機用可変入賞装置。
【請求項４】
前記筐体には、前記遊技盤の前面に沿って配置される板状の台板が設けられており、
前記台板には、前記開閉部材の上方側において前方側に突出する庇部が設けられており、
前記庇部は、前記開閉部材が前記開放位置となったときに当該開閉部材の前端を上方で被覆するように構成されていることを特徴とする請求項３に記載の遊技機用可変入賞装置。
【請求項５】
前記筐体には、前記遊技盤の前方側において前記開閉部材の上方側となる領域を含み該遊技盤の前面と略平行に配置される板状の前飾り板が設けられており、
前記開閉部材は、前記閉鎖位置のときに前端が前記前飾り板との間に遊技球の半径よりも小さい幅だけ離間するように配置されていることを特徴とする請求項１から請求項４のいずれか１項に記載の遊技機用可変入賞装置。
【請求項６】
請求項１から請求項５のいずれか一項に記載の遊技機用可変入賞装置が前記遊技盤に配置されていることを特徴とする遊技機。
【発明の詳細な説明】
【技術分野】
【０００１】
本発明は、遊技機用可変入賞装置及びそれを備えた遊技機に関するものである。
【背景技術】
【０００２】
アタッカーとも称される大入賞装置には、入賞口を開閉する扉が、閉鎖状態では遊技盤の前方に突出して閉鎖し、開放状態では遊技盤の前方から後退するスライド式のものがあり、このような扉を装置内に設けられた駆動手段によって動作させている。例えば、特許文献１の入賞装置では、前後方向に移動可能な開閉板（３５）を有する第１開閉手段（３６）を用いて、前進位置で第１開口部（３１）を閉鎖し、後退位置で第１開口部（３１）を開放する構成としている。
また、近年の遊技機では、遊技者の興趣を高めることを目的として、遊技領域内の中央部付近に配置される液晶表示装置や役物（いわゆるセンター役物）などが大型化する傾向があり、これら入賞装置等の他の部品は、機能を充実させつつ、よりコンパクトに構成することが求められている。更に、このような要求は、遊技盤上の領域（遊技領域）に限られるものではなく、液晶表示装置や役物などに必要な主要部品（制御基板等）の配置の制約を極力抑えるために、遊技盤の後方領域においても各部品のコンパクト化が望まれている。
【先行技術文献】
【特許文献】
【０００３】
【特許文献１】特登４４００８３２号公報
【発明の概要】
【発明が解決しようとする課題】
【０００４】
しかしながら、特許文献1のアタッカーでは、開閉スライド部材（８１）は、開閉板（３５）の後側に第１ソレノイド（８２）と連結する矩形板状の摺動板（８５）が突設されており、第１ソレノイド（８２）から駆動力を受けて前後方向に移動可能となっている。そのため、遊技盤の後方側には駆動源（第１ソレノイド（８２））やこれに付随する機械的な機構等を配置する必要があり、遊技盤の後方側に部品スペースをかなり割かなければならない。また、入賞口の開放状態において、後方側に摺動板（８５）が突出してしまうため、遊技盤の後方領域に他の部品を配置することも困難となる。従って、このような入賞装置では、遊技盤の前後方向で大きくスペースを使用することとなり、装置のコンパクト化を図ることが難しい。
【０００５】
本発明は、上述した課題を解決するためになされたものであり、遊技球を内部に誘導可能に構成された遊技機用可変入賞装置及びこれを備えた遊技機において、遊技盤前後方向のコンパクト化を図ることができる構成を提供することを目的とする。
【課題を解決するための手段】
【０００６】
本発明の遊技機用可変入賞装置は、遊技機の遊技盤に直接又は他部材を介して間接的に固定され、前記遊技盤の前面と直交する前後方向において少なくとも前記遊技盤の前方側に、前記遊技盤の前面に沿って流下する遊技球を下方側に進入させつつ取り込む誘導口が形成されてなる筐体と、
少なくとも前記遊技盤の前面の前方側において前記誘導口を閉鎖可能な閉鎖部を備え、前記閉鎖部が前記誘導口を閉鎖する閉鎖位置と前記閉鎖部が前記閉鎖位置のときよりも遊技球が進入しやすい開放位置とで変位する開閉部材と、
駆動力を生じさせる駆動源と、
前記開閉部材と連動可能に構成されると共に前記駆動源の駆動力を受けて前記開閉部材を前後に変位させる構成をなし、前記閉鎖位置のときには前記閉鎖部を前記遊技盤の前方側に突出させて前記誘導口を閉鎖し、前記開放位置のときには前記閉鎖部を前記閉鎖位置のときよりも後退させて前記誘導口を開放するように前記開閉部材を変位させる伝達機構と、
を備え、
前記開閉部材は、前記伝達機構から作用を受ける被作用部が形成されており、
前記伝達機構は、前記開閉部材の上方又は下方若しくは側方において前記被作用部を前記遊技盤の後面よりも前方側の範囲で動作させるように構成され、
前記開閉部材は、前記開放位置にあるときに当該開閉部材の後端が前記遊技盤の後面と同位置又は当該後面の前方に位置するように構成されており、
前記駆動源は、前記遊技盤の後面よりも前方側において左右方向に直線的に移動するプランジャを有し、
前記伝達機構は、
前記駆動源の側方に配置されるとともに前記プランジャの左右方向の変位と連動して回動する構成をなし、前記遊技盤の後面よりも前方側において上下方向に延びる軸を中心として回動可能とされた第１伝達部材と、
上下方向において前記開閉部材と前記駆動源との間に配置されるとともに、前記遊技盤の後面よりも前方側における上下方向の軸線を中心として回動可能に構成され、且つ前記第１伝達部材からの作用を受けて回動し、その回動動作によって前記開閉部材の前記被作用部を前後方向に移動させる第２伝達部材とを有し、
前記第１伝達部材において前記第２伝達部材に作用する部分が前記遊技盤の後面よりも前方側で変位し、
前記第２伝達部材において前記第１伝達部材から作用を受ける部分及び前記開閉部材の前記被作用部に作用する部分が前記遊技盤の後面よりも前方側で変位することを特徴とする。
【０００７】
本発明の遊技機は、上記遊技機用可変入賞装置が遊技盤に配置されていることを特徴とする。
【発明の効果】
【０００８】
本発明の遊技機用可変入賞装置及び遊技機では、開閉部材の上方又は下方若しくは側方において伝達機構から作用を受ける被作用部が形成されており、伝達機構はその被作用部を遊技盤の後面よりも前方側の範囲で動作させるように構成されている。そして、開閉部材は、開放位置のときでも後端が遊技盤の後面と同位置又はこれよりも前方に位置するようになっている。
この構成では、伝達機構の作用を受けて動作する開閉部材が遊技盤の後面から前方側の領域において開放位置と閉鎖位置とに変位することになり、特に、開閉部材は、後方側に退避した開放位置のときでも後端が遊技盤の後面と同位置またはこれよりも前方に位置するようになっているため、開閉部材が遊技盤の後側に配置される部品と干渉することがなくなり、ひいては、装置を全体的に遊技盤の後面よりも前方に配置しやすくなるため、遊技盤後方のスペースを入賞装置以外の他の用途に有効に利用することができる。
また、伝達機構についても、上記のように配置される開閉部材の上方又は下方若しくは側方で当該開閉部材を動作させるように配置されているため、伝達機構が後方側に嵩張ることがなく、入賞装置全体として前後方向のコンパクト化（特に後方領域の削減）を図りやすくなる。
【０００９】
また、本発明において、開閉部材は、被作用部を自身の後部側に形成し、伝達機構は、開閉部材を変位させるときに被作用部を遊技盤の前面と後面との間の厚み内で変位させるように構成されていてもよい。
このようにすると、開閉部材の被作用部、及び伝達機構における被作用部に作用する部分が誘導口の下方に入り込むことがなく、誘導口から入賞した遊技球がこれら部分と接触することがなくなり、球噛みや球詰まりなど遊技球の円滑な流下を妨げる虞がない。また、遊技盤の前方側から開閉部材を不正に開放する操作が行いにくくなり、不正開放操作による不正賞球獲得を効果的に防止することができる。
【００１０】
また、本発明において、開閉部材は、開放位置のときに前端が遊技盤の前面よりも前方に位置するように構成されていてもよい。
この構成では、開放位置のときに開閉部材の後端を遊技盤後面に収めつつも、前端については完全に遊技盤内に収めることなく遊技盤前側の領域を利用して配置することができるため、開閉部材の前後方向の幅を大きく形成することができる。このように前後方向の幅を大きく形成すると、閉鎖位置のときに、開閉部材をより前方位置まで及ぼすことができ、誘導口をより確実に閉鎖すると共に開閉部材上方においてより円滑に遊技球を流下させることができる。
また、開放位置のときに開閉部材の前端が遊技盤前側にある程度突出して配置されるため、開放位置から閉鎖位置までの開閉部材の移動距離が短縮され、開放状態となっている誘導口を閉鎖するまでに要する時間を短縮することができる。従って、開閉部材を閉鎖する制御の開始後に余分な遊技球が誘導口内に進入してしまうことを抑制することができる。
更に、開放位置のときに開閉部材の一部を遊技盤前面の前方に突出させたままとしているので、開放位置から閉鎖位置に変位する際に、開閉部材の前端が遊技盤の前面の開口端或いはこの付近の部材に引っ掛かりにくくなり、開放状態が意図せずに維持されてしまうことをより確実に防ぐことができる。
【００１１】
また、本発明において、筐体には、遊技盤の前面に沿って配置される板状の台板が設けられていてもよい。そして、台板には、開閉部材の上方側において前方側に突出する庇部が設けられ、この庇部は、開閉部材が開放位置となったときに当該開閉部材の前端を上方で被覆するように構成してもよい。
この構成では、開閉部材が開放位置にあるときには、誘導口に向けて流下してきた遊技球が開閉部材に接触する前に、或いは開閉部材に接触することなく庇部に接触しやすくなるため、開閉部材に対して遊技球による直接的な衝撃が加わることを抑制ないし防止することができる。従って、開閉部材やこれと連動する伝達機構等に対して遊技球の接触に起因するダメージが加わりにくくなり、製品の寿命を確実に延ばすことができる。
また、開放位置のときには、開閉部材の前端を遊技盤前面の前方側にある庇部の下方位置でとどめておくことができるため、この構成でも、開放位置から閉鎖位置までの開閉部材の移動距離が短縮され、開放状態となっている誘導口を閉鎖するまでに要する時間を短縮することができる。従って、開閉部材を閉鎖する制御の開始後に余分な遊技球が誘導口内に進入してしまうことを抑制することができる。
【００１２】
また、本発明において、筐体には、遊技盤の前方側において開閉部材の上方側となる領域を含み該遊技盤の前面と略平行に配置される板状の前飾り板が設けられており、
開閉部材は、閉鎖位置のときに前端が前飾り板との間に遊技球の半径よりも小さい幅だけ離間するように配置されるように構成してもよい。
この構成では、開閉部材の上方側となる領域を含む前飾り板が形成され、開閉部材が閉鎖位置のときに前端を前飾り板に当接させず離間するように配置されているため、開放位置のときに後方への移動距離を短縮することができ、ひいては、伝達機構が後方側に嵩張ることがなく、入賞装置全体として前後方向のコンパクト化（特に後方領域の削減）を図りやすくなる。また、開閉部材が閉鎖位置に移動したときに、前端が前飾り板に衝突しないため、破損し難くなり、製品寿命の長期化を図りやすくなる。
また、前飾り板が配置されているため、開閉部材の前方を覆うことで開閉部材への直接的な不正防止効果が高まるのは言うまでもなく、開閉部材の前端が離間した状態であっても誘導口をより確実に閉鎖すると共に開閉部材上方においてより円滑に遊技球を流下させることができる。また、開放位置から閉鎖位置までの開閉部材の移動距離が短縮され、開放状態となっている誘導口を閉鎖するまでに要する時間を短縮することができる。従って、開閉部材を閉鎖する制御の開始後に余分な遊技球が誘導口内に進入してしまうことを抑制することができる。
【図面の簡単な説明】
【００１３】
【図１】図１は、本発明の第１実施形態に係る遊技機用可変入賞装置を備えた遊技機を例示する正面図である。
【図２】図２（Ａ）は、本発明の第１実施形態に係る遊技機用可変入賞装置に関し、開閉部材が閉鎖位置にあるときの前側の斜め上方から見た斜視図であり、図２（Ｂ）は、開閉部材が開放位置にあるときの図である。
【図３】図３（Ａ）は、図２（Ａ）の遊技機用可変入賞装置の正面図であり、図３（Ｂ）は、その背面図である。
【図４】図４（Ａ）は、図２の遊技機用可変入賞装置に関し、開閉部材が閉鎖位置にあるときの平面図であり、図４（Ｂ）は、開閉部材が開放位置にあるときの平面図である。
【図５】図５は、図２の遊技機用可変入賞装置を前側の斜め上方から見た分解斜視図である。
【図６】図６は、図２の遊技機用可変入賞装置を後側の斜め下方から見た分解斜視図である。
【図７】図７（Ａ）は、図３（Ａ）のＡ−Ａ断面を概略的に示す断面図であり、図７（Ｂ）は、開閉部材が開放位置にあるときの図７（Ａ）に対応した断面図である。
【図８】図８（Ａ）は、図３（Ａ）のＢ−Ｂ断面を概略的に示す断面図であり、図８（Ｂ）は、開閉部材が開放位置にあるときの図８（Ａ）に対応した断面図である。
【図９】図９（Ａ）は、図３（Ａ）のＣ−Ｃ断面を概略的に示す断面図であり、図９（Ｂ）は、開閉部材が開放位置にあるときの図９（Ａ）に対応した断面図である。
【図１０】図１０（Ａ）は、図３（Ａ）のＤ−Ｄ断面を概略的に示す断面図であり、図１０（Ｂ）は、開閉部材が開放位置にあるときの図１０（Ａ）に対応した断面図である。
【図１１】図１１は、駆動源、伝達部材及び開閉部材の連係状態で斜め後方側からの様子を示す説明図であり、図１１（Ａ）は、開閉部材が閉鎖位置にあるときの様子を示す図であり、図１１（Ｂ）は、開閉部材が開放位置にあるときの様子を示す図である。
【図１２】図１２は、駆動源、伝達部材及び開閉部材の連係状態で斜め前方からの様子を示す説明図であり、図１２（Ａ）は、開閉部材が閉鎖位置にあるときの様子を示す図であり、図１２（Ｂ）は、開閉部材が開放位置にあるときの様子を示す図である。
【図１３】図１３（Ａ）は、本発明の第２実施形態に係る遊技機用可変入賞装置に関し、開閉部材が閉鎖位置にあるときの前側の斜め上方から見た斜視図であり、図１３（Ｂ）は、開閉部材が開放位置にあるときの図である。
【図１４】図１４は、図１３の遊技機用可変入賞装置に関し、開閉部材が閉鎖位置にあるときの平面図である。
【図１５】図１５（Ａ）は、図１４のＥ−Ｅ断面を概略的に示す断面図であり、図１５（Ｂ）は、開閉部材が開放位置にあるときの図１５（Ａ）に対応した断面図である。
【発明を実施するための形態】
【００１４】
[第１実施形態]
以下、本発明に係る遊技機用可変入賞装置１０及びそれを備えた遊技機１を具現化した第１実施形態について、図面を参照して説明する。なお、図１は、第１実施形態に係る遊技機用可変入賞装置１０を備えた遊技機１を例示する正面図であり、まず、図１を参照して遊技機１の構成を概説する。
【００１５】
（遊技機の構成）
図１に示す遊技機１は、いわゆるパチンコ機として構成されるものであり、木板（ベニヤ板）、アクリル板等によって構成される遊技盤２の盤面（前面２ｂ）に沿って遊技球Ｂの発射を誘導するガイドレール５が設けられ、このガイドレール５等によって区画された形態で遊技領域が形成されている。また、遊技盤２の中央付近には、各種表示を行い得る液晶表示部３が配置され、この液晶表示部３の下方には、始動誘導口７が配置されている。そして、液晶表示部３の下方側において、始動誘導口７の横方向に、本発明に係る遊技機用可変入賞装置１０が配置されている。なお、遊技機１には、遊技盤２の前方において当該遊技盤２の盤面（前面２ｂ）とほぼ平行に透明板（ガラス板等）が配置され、ガイドレール５等によって区画された遊技領域内において透明板と遊技盤２との間を遊技球が流下するように構成されている。
【００１６】
（遊技機用可変入賞装置の構成）
次に、第１実施形態に係る遊技機用可変入賞装置１０について説明する。
図１に示すように、遊技機用可変入賞装置１０（以下、入賞装置１０ともいう）は、遊技盤２に固定されて用いられるものであり、その一部が遊技盤２の前方側から視認可能となるように露出した状態で配置されている。この入賞装置１０は、図１及び図４に示すように遊技盤２の前面２ｂ（盤面）の前方側において上方側に開放した開口形態で配される誘導口２０を備えている。この誘導口２０は、後述する開閉部材２１によって開閉される構成をなしており、開閉部材２１が開放位置となったときに開放状態となり、前面２ｂに沿って流下する遊技球を内部に誘導することができるようになっている。なお、図１等に示す入賞装置の代表例では、誘導口２０が大入賞口として機能するアタッカーとしての例を示すが、遊技球が入賞し得る構成であれば電動チューリップや役物等の様々な入賞装置に適用できることは勿論である。
なお、図４、図７、図８、図９及び図１０では、遊技盤２の前面２ｂ（盤面）及び後面２ｃの位置を二点鎖線にて仮想的に示している。
【００１７】
本明細書において、「前後方向」とは、遊技盤２の前面２ｂ（盤面）と直交する方向を意味し、前面２ｂ（盤面）に対し遊技者が位置するべき側を前方側、それとは反対側（即ち、遊技機１奥側）を後方側とする。また、「上下方向」とは、遊技領域を遊技球が流下する方向（鉛直方向）を意味し、鉛直上方側を上方、鉛直下方側を下方とする。また、「左右方向」とは、上記「前後方向」及び「上下方向」と直交する方向を意味する。遊技機前方側から見て左側を左方向、右側を右方向とする。
【００１８】
ここで、図２〜図１２等を参照し、入賞装置１０を構成する各部品について詳述する。
図２〜図６に示すように、入賞装置１０は、遊技盤２に直接的に固定されると共に遊技盤２の前方側に当該遊技盤２の前面２ｂに沿って流下する遊技球を下方側に進入させつつ取り込む誘導口２０が形成されてなる筐体８０と、遊技盤２の前面２ｂの前方側において誘導口２０を閉鎖可能な閉鎖部２１ａを備え、閉鎖部２１ａが誘導口２０を閉鎖する閉鎖位置とその閉鎖位置のときよりも遊技球が進入しやすい開放位置とで変位する開閉部材２１と、駆動力を生じさせる駆動源４０とを備えている。更に、入賞装置１０は、開閉部材２１と連動可能に構成されると共に駆動源４０の駆動力を受けて開閉部材２１を前後に変位させる構成をなし、閉鎖位置のときには閉鎖部２１ａを遊技盤２の前方側に突出させて誘導口２０を閉鎖し、開放位置のときには閉鎖部２１ａを閉鎖状態のときよりも後退させて誘導口２０を開放するように開閉部材２１を変位させる伝達機構３０（第１伝達部材３１、第２伝達部材３２）と、誘導口２０から内部に進入した遊技球を検出する球検出部６２とを備えている。
以下、各構成要素について詳述する。
【００１９】
まず、開閉部材２１について説明する。
開閉部材２１は、図５、図６等に示すように、長手状且つ略板状に構成されており、図２（Ａ）、図４（Ａ）に示すように、筐体８０に形成された誘導口２０を閉塞し得るように当該筐体８０に保持されている。この開閉部材２１は、図２（Ａ）（Ｂ）及び図４（Ａ）（Ｂ）に示すように、遊技盤２の前面２ｂの前方側に突出して誘導口２０を閉鎖する位置（閉鎖位置（図２（Ａ）、図４（Ａ）））と、その閉鎖位置のときよりも誘導口２０に遊技球が進入しやすくなる位置（開放位置（図２（Ｂ）図４（Ｂ）））とで変位するようになっている。
【００２０】
開閉部材２１は、図５及び図６に示すように、主として、略板状に形成され誘導口２０を閉鎖し得るように機能する閉鎖部２１ａと、開閉部材２１の下面側における後端部２１ｃ付近（後部側）かつ中央部付近から下方側に突出するように凸状に形成された被作用部２１ｂと、開閉部材２１の上面側における後端部２１ｃ付近かつ中央部付近から上方向に突出する上側摺動部２１ｄと、開閉部材２１の下面側における後端部２１ｃ付近（後部側）かつ中央部付近から下方向に突出する下側摺動部２１ｅとを備えている。また、開閉部材２１の前端は、下面側が前方に向かって高位置となるように傾斜している。
【００２１】
開閉部材２１の上側摺動部２１ｄは、図３（Ｂ）及び図６に示すように、後述する台板部材８５の上側ガイド部８５ｄに沿って前面２ｂの前後方向に摺動可能に設けられている。また、図７（Ａ）（Ｂ）及び図８（Ａ）（Ｂ）に示すように、上側摺動部２１ｄは、開閉部材２１が閉鎖位置に位置する際に、台板８５ａの一部に接触することで開閉部材２１を閉鎖位置より前方への移動を規制する。一方で、開閉部材２１の下側摺動部２１ｅは、図５、図９及び図１０に示すように、後ケース体８２の下側ガイド部８２ｂに沿って前面２ｂの前後方向に摺動可能に設けられている。また、図９（Ａ）（Ｂ）及び図１０（Ａ）（Ｂ）に示すように、下側摺動部２１ｅは、開閉部材２１が閉鎖位置に位置する際に、後ケース体８２の前側の周壁部８２ａの一部に接触することで開閉部材２１を閉鎖位置より前方への移動を規制する。このように、開閉部材２１の上側摺動部２１ｄ及び下側摺動部２１ｅが前面２ｂに直交する前後方向に摺動し、開閉部材２１の動作をガイドするとともに、開閉部材２１が閉鎖位置と開放位置とに変位することができる。一方で、開閉部材２１の左端が、後ケース体８２の左側ガイド部８２ｆあるいは前ケース体８１の左側ガイド部８１ｆに支持されるとともに、開閉部材２１の右端が、後ケース体８２の右側ガイド部８２ｇ及び前ケース体８１の右側ガイド部８１ｇの一連のガイド部に沿って移動することで、安定的に開閉部材２１を変位させることができる。
【００２２】
被作用部２１ｂは、開閉部材２１の後部側において伝達機構から作用を受けるように構成された部分であり、後述する第２伝達部材３２と連結されるとともに、この第２伝達部材３２の先端部と連動して前後動するように構成されている。本構成では第２伝達部材３２（後述）が回動可能に構成され、その回動に応じて第２伝達部材３２の先端部に形成された作用部３２ｄが前後動するようになっており、図７（Ａ）、図８（Ａ）、図９（Ａ）及び図１０（Ａ）に示すように、第２伝達部材３２の作用部３２ｄが遊技盤２の前面２ｂに近い前方位置に移動するときには、被作用部２１ｂも連動して前方に移動し、この作用部３２ｄの変位に応じて開閉部材２１が前方位置（閉鎖位置）に移動することとなる。一方、図７（Ｂ）、図８（Ｂ）、図９（Ｂ）及び図１０（Ｂ）に示すように、第２伝達部材３２の作用部３２ｄが遊技盤２の後面２ｃ側に近い後方位置に移動するときには、被作用部２１ｂも連動して後方に移動し、この作用部３２ｄの変位に応じて開閉部材２１が後方位置（開放位置）に移動することとなる。
【００２３】
本構成では、図２（Ａ）、図９（Ａ）、図１０（Ａ）のように開閉部材２１が閉鎖位置にあるときには、閉鎖部２１ａが誘導路６０の上方で誘導口２０を塞ぐように遊技盤２の前方側（より詳しくは、後述する庇部８６の前方側）に突出して配されるようになっている。また、図２（Ｂ）、図９（Ｂ）、図１０（Ｂ）のように開閉部材２１が開放位置にあるときには、閉鎖部２１ａが誘導路６０の上方から退避し、誘導口２０を開放するように配されることとなる。そして、このように開放位置にあるときには、開閉部材２１の後端部２１ｃは、遊技盤２の後面２ｃと同位置又はこれよりも前方に位置するようになっている。なお、図７（Ｂ）、図８（Ｂ）等に示す例では、開閉部材２１が開放位置にあるときに、開閉部材２１の後端部２１ｃが遊技盤２の後面２ｃと前後方向においてほぼ同位置となる場合を示しているが、開閉部材２１が開放位置にあるときに開閉部材２１の後端が遊技盤２の後面２ｃよりもある程度離れた前側に位置するようになっていてもよい。
【００２４】
また、図７（Ｂ）、図８（Ｂ）のように、開閉部材２１が開放位置にあるときには、開閉部材２１の前端は、遊技盤２の前面２ｂよりも前方に位置するようになっている。より具体的には、後述する台板部材８５（筐体８０）において遊技盤２の前面２ｂの前方に突出するように庇部８６が形成されており、開閉部材２１は、開放位置のときに当該開閉部材２１における遊技盤２の前面２ｂの前方に突出する部分の大部分が庇部８６の下方側に配されるようになっている。なお、図７（Ｂ）、図８（Ｂ）の例では、開放位置のときに当該開閉部材２１の上面部前端が庇部８６の前端位置よりもやや後方となるように構成されていてもよく、開閉部材２１の上面部前端が庇部８６の前端位置よりもやや前方となるように構成されていてもよい。更に、本構成では、図７、図８のように、伝達機構３０（後述）の作用を受ける被作用部２１ｂが、遊技盤２における前面２ｂと後面２ｃの間の厚み内で変位するようになっている。
【００２５】
次に、筺体８０について説明する。
筐体８０は、開閉部材２１、駆動源４０、第１伝達部材３１、第２伝達部材３２及び球検出部６２等を収容すると共に入賞装置１０の外殻をなすものであり、例えば樹脂材料などによって箱状に構成されている。この筐体８０は、図２〜図６に示すように、遊技盤２に固定される台板部材８５と、台板部材８５の前側に配置され、上部に遊技球を受け入れる誘導口２０が形成されてなる前ケース体８１と、台板部材８５の後側に配置され、駆動源４０及び伝達機構３０が収容される後ケース体８２と、後ケース体８２の下側に配置され、駆動源４０及び第１伝達部材３１を下方側から支持する下ケース体８３とを備えている。そして、これらがねじ等の締結部材によって一体的に組付けられている（図５及び図６等を参照）。また、前ケース体８１の前方側には、前面に図柄等が施される前飾り部材８７が設けられ、前ケース体８１に一体的に組み付けられている。
【００２６】
この筐体８０は、図７、図８、図９及び図１０のように、開閉部材２１、第１伝達部材３１、第２伝達部材３２、駆動源４０を内部に収容して直接的に保持するように構成されている。具体的には、台板部材８５と後ケース体８２とによって閉鎖された閉鎖空間に第２伝達部材３２が組み付けられ、後ケース体８２と下ケース体８３とによって閉鎖された閉鎖空間に第１伝達部材３１及び駆動源４０が組み付けられ、前ケース体８１と台板部材８５と後ケース体８２とによって閉鎖された空間に球検出部６２が組み付けられるようになっている。
【００２７】
図２（Ａ）のように、筐体８０の上面部には、遊技盤２の前面２ｂに沿うように誘導樋５０が形成されている。この誘導樋５０は、図２（Ａ）のように開閉部材２１が閉鎖位置にあるときに当該開閉部材２１の上流側に隣接して配置される上流側誘導樋５２と、開閉部材２１が閉鎖位置にあるときに当該開閉部材２１の下流側に隣接して配置される下流側誘導樋５１とにより構成されている。そして、筐体８０において上流側誘導樋５２と下流側誘導樋５１との間に形成される開口部が誘導口２０となっている。この誘導口２０は、入賞口として機能する部分であり、当該誘導口２０を遊技球が通過したときにこの通過した遊技球が球検出部６２（後述）によって検出され、所定の遊技（例えば賞球の払い出し）が行われるようになっている。
【００２８】
具体的には、前ケース体８１の周壁部８１ｃの一部をなす上側の壁部５２ａが上流側誘導樋５２の底壁部となっており、もう一方の上側の壁部５１ａが下流側誘導樋５１の底壁部となっている。上流側誘導樋５２は、この壁部５２ａと、前ケース体８１及び台板８５ａにおける壁部５２ａに隣接する部分とによって構成されており、壁部５２ａ上を遊技球が右方向に転がるようになっている。また、下流側誘導樋５１は、この壁部５１ａと、前ケース体８１及び台板８５ａにおける壁部５１ａに隣接する部分とによって構成されており、壁部５１ａ上を左方向に転がるように遊技球が流下するようになっている。この誘導樋５０では、壁部５２ａにおける左右方向一方側（壁部５１ａ側）の端部と、壁部５１ａにおける左右方向他方側（壁部５２ａ側）の端部と、前ケース体８１と、台板８５ａとによって誘導口２０が形成されており、これらによって囲まれる開口領域が遊技球の取り込み口となっている。この構成では、図２（Ａ）のように開閉部材２１が閉鎖位置にあるときには、開閉部材２１上に流下してきた遊技球が、開閉部材２１の上を転がり、下流側誘導樋５１側に導かれることとなる。また、図２（Ｂ）のように後述する開閉部材２１が開放位置にあるときには、誘導口２０上方に流下してきた遊技球が、誘導口２０から内部に進入することとなる。なお、図２等に示す例では、上流側誘導樋５２は、誘導口２０側が高位となるように傾斜しているが、反対に傾斜するように形成されていてもよい。即ち、誘導口２０側が低位であり、誘導口２０とは反対側が高位となるように形成されていてもよい。これによって、上流側誘導樋５２上を転がる遊技球は、誘導口２０側に導かれることになる。
【００２９】
また、図２に示すように、筐体８０の内部には、誘導口２０側を上流側として当該誘導口２０から進入する遊技球を下流側に設けられた排出部６０ａ（図３（Ｂ）参照）へ誘導する誘導路６０が形成されている。図２に示すように、誘導路６０は、前ケース体８１の板部８１ａ及び上壁部８１ｅと、後ケース体８２の周壁部８２ａと、下ケース体８３の貫通孔８３ａと、前飾り部材８７の後方に配置される球検出部６２などによって構成されている。この誘導路６０は、遊技球を１球ずつ通す流路として機能しており、具体的には、前ケース体８１の板部８１ａの後方側且つ後ケース体８２の周壁部８２ａの前方側において、前ケース体８１の上壁部８１ｅの上部を球検出部６２の遊技球通過孔６２ａに向かって遊技球（誘導口２０から進入した遊技球）が通るようになっている。また、球検出部６２の下方側には、遊技球通過孔６２ａに対して排出部６０ａが連通している。また、前ケース体８１における上壁部８１ｅは、球検出部６２側が低位になるように傾斜している。更に、前ケース体８１において遊技盤２の前面２ｂの前方側（遊技者側）から見て左下方向に形成された所定の空間から、下ケース体８３に形成された貫通孔８３ａへと遊技球が誘導されるようになっている。
【００３０】
前飾り部材８７は、図５及び図６に示すように、遊技盤２の前面２ｂと略平行に配置される板状の前飾り板８７ａと、当該前飾り板８７ａから後方に突出する取付部８７ｂとを備えており、取付部８７ｂには、前飾り部材８７の後方側から締結部材８８を取り付ける孔部８７ｃが設けられている。
【００３１】
前ケース体８１は、図５及び図６に示すように、遊技盤２の前面２ｂと略平行に配置される板状の板部８１ａと、当該板部８１ａから後方に突出する周壁部８１ｃとを備えており、板部８１ａには、筺体８０の組み立て時に、前飾り部材８７の取付部８７ｂを貫通させる案内孔８１ｂが設けられている。周壁部８１ｃは、板部８１ａの外周部に沿った枠状に構成されており、前ケース体８１の上端側において左右に所定距離隔てて配置される一対の壁部５１ａ、５２ａ（上述の下流側誘導樋５１、上流側誘導樋５２のそれぞれの底壁）と、前ケース体８１の左右両側において上下に延びるように配置される一対の側壁９１、９２と、これら側壁９１、９２の下端部側を連結する形態で配置される底壁９３とを有しており、上述したように、一対の壁部５１ａ、５２ａの間に形成される開口部が上記誘導口２０として機能している。また、上記誘導口２０の左右端部（即ち、壁部５１ａ、５２ａの開口側の端部）から垂れ下がる構成で一対の内壁部９４、９５が形成されており、更に、壁部５１ａ、５２ａから所定距離隔てた下方位置且つ底壁９３の上方位置において、壁部５２ａと段差状となるように上壁部８１ｅが設けられている。本構成では、上記内壁部９４、９５及び上壁部８１ｅによって左右及び下方が囲まれ、前飾り板８７ａ及び台板８５ａによって前後が囲まれるように誘導路６０が構成されており、誘導口２０から下方に入り込んだ遊技球がこの誘導路６０によって導かれるようになっている。誘導路６０において、上壁部８１ｅは、一方の内壁部９５側に隣接して配置されると共に、他方の内壁部９４とは隙間を隔てて配置され、さらに左側が下がるように（内壁部９４側となるにつれて下方位置となるように）傾斜して設けられている。従って、誘導路６０内に入り込んだ遊技球は、上壁部８１ｅの上面部を左側（内壁部９４側）に転がり、上壁部８１ｅと内壁部９４の間に形成された隙間から落下することとなる。また、その隙間の下方側には、前ケース体８１の後方側から球検出部６２を組み付けて収容する収容部８１ｄが形成されており、上記隙間から落下した遊技球はこの球検出部６２に形成された孔内を通過して検出されるようになっている。
【００３２】
また、一方の内壁部９４における開閉部材２１付近（壁部５１ａの誘導口側端部付近）には略三角形突起状の左側ガイド部８１ｆが形成されており、他方の内壁部９５における開閉部材２１付近（壁部５２ａの誘導口側端部付近）には左上方に向かって凹形状の右側ガイド部８１ｇが設けられている。また、前ケース体８１には、遊技盤２の前面２ｂの前方側（遊技者側）から見て左下に、内壁部９４と上壁部８１ｅとの間の隙間から下方に続く遊技球誘導経路が形成され、当該経路内の底壁部には遊技球を後方側に誘導する凸状形態のレール部８１ｈが設けられている（図３（Ｂ）及び図４（Ｂ）参照）。なお、このレール部８１ｈは、後述する下ケース体８３に形成されたレール部８３ｂに隣接して続くようになっており、レール部８１ｈ上を転がる遊技球は、続いて、その後方のレール部８３ｂ上を転がって外部に排出されるようになっている。
【００３３】
また、図２に示すように、誘導口２０の下方に位置する誘導路６０の底壁（前ケース体８１の上壁部８１ｅ）上には、２つの誘導突起部８２ｃが所定の間隔を隔てて設けられている。具体的には、図５に示すように、略三角柱形状を有し、後ケース体８２から突出するように形成されるとともに、図２に示すように、前ケース体８１における上壁部８１ｅの上面に接するように構成されている。これによって、誘導口２０に流入した遊技球が誘導路６０（前ケース体８１の上壁部８１ｅ）を流下する際に、誘導突起部８２ｃに接触させて前方側に流下方向を規制することができ、誘導路６０内で遊技球の流れが不規則に変化して球詰まりが発生することを回避することができる。
【００３４】
前ケース体８１に組み付けられる台板部材８５は、図５及び図６に示すように、遊技盤２の前面２ｂに隣接して配置される板状の台板８５ａと、この台板８５ａから後方に突出する略板状の突出部８５ｂとを備えている。突出部８５ｂには、上方向に向かって凹形状となるように構成され且つその内壁面で開閉部材２１の上側摺動部２１ｄをガイドするように機能する上側ガイド部８５ｄが形成されている。また、突出部８５ｂの下方には、後述する後ケース体８２が嵌まり込んだ状態で組み付けられるようになっている。具体的には、台板８５ａを厚さ方向（前後方向）に貫通する貫通孔８５ｃが形成されている。そして、台板部材８５の後方側から後ケース体８２を組み付けることで、当該貫通孔８５ｃ内に嵌合する構成で後ケース体８２が配置されることになる。
【００３５】
後ケース体８２は、図５及び図６に示すように、前後左右の四方を囲むような周壁部８２ａによって構成されており、上下両方向から内部に部品を組み付けて収容できるように所定の空間が形成されている。そして、上方からは、第２伝達部材３２を組み付けて収容し、下方からは第１伝達部材３１及び駆動源４０を組み付けて収容している。また、後ケース体８２の上側において中央左寄り部分には下方側に凹むように構成され且つ後述する作用部３２ｄが出入り可能となるように構成された切欠状の後側開口部８２ｅが形成されている。また、後ケース体８２の上面部左端側には、前後方向に延びるリブ状に構成され且つ開閉部材２１の左端部をガイドするように構成された左側ガイド部８２ｆが形成され、後ケース体８２の上面部右端側には、前後方向に延びるリブ状に構成され且つ開閉部材２１の右端部をガイドするように構成された右側ガイド部８２ｇが形成されている。
【００３６】
下ケース体８３は、図５及び図６に示すように、上方の壁部を除く略直方体状に形成され、上方から内部に部品を組み付けて収容できるように所定の空間が形成されている。また、下ケース体８３の左側には、前後方向に貫通する貫通孔８３ａが設けられている。そして、上方からは、第１伝達部材３１及び駆動源４０を組み付けて収容している。また、下ケース体８３を、後ケース体８２に、下方側から組み付けることで、筺体８０の一部を構成している。
【００３７】
球検出部６２は、図２及び図４（Ｂ）に示すように、開閉部材２１の下方側において、遊技盤２の後面２ｃよりも前側の領域に配置されている。また、遊技球通過孔６２ａが遊技盤２の後面２ｃよりも前側の領域に位置されており、誘導路６０を通過する遊技球を検出するように機能している。また、球検出部６２は、上面部６２ｂの一部が誘導路６０内に面し、他の部分が下ケース体８３に覆われるように筺体８０の内部に保持されており、上面部６２ｂの誘導路６０内に面する部分において上面部６２ｂ側から下面部６２ｃ側に連通するように遊技球通過孔６２ａが形成されている。そして、この遊技球通過孔６２ａを通過する遊技球Ｂを検出するように構成されている。また、球検出部６２は、上面部６２ｂ及び下面部６２ｃが略水平の状態で筐体８０内に保持され、遊技球通過孔６２ａが上方前側から下方後側に続くように配置されて、上面部６２ｂ側から遊技球通過孔６２ａ内に入り込んだ遊技球がこの遊技球通過孔６２ａによって下方側に導かれるようになっている。遊技球通過孔６２ａを通過した遊技球は、この遊技球通過孔６２ａの後方側且つ下方側に設けられた排出部６０ａに誘導され、排出部６０ａから装置外に排出されるようになっている。
【００３８】
また、図３、図７、図８に示すように、台板部材８５の台板８５ａには、開閉部材２１の上方において、遊技盤２ａの前方に延出する庇部８６が設けられている。具体的には、庇部８６は、台板部材８５の台板８５ａに形成された貫通孔８５ｃの上側の縁に沿うように設けられており、前方に向かって低位置となるように傾斜している。これによって、開閉部材２１が閉鎖位置に位置する際は、図７（Ａ）及び図８（Ａ）に示すように、庇部８６は開閉部材２１の閉鎖部２１ａの真上に位置し、開閉部材２１が開放位置に位置する際は、図７（Ｂ）及び図８（Ｂ）に示すように、庇部８６は開閉部材２１の前端を上方から覆うように位置している。
【００３９】
また、本構成の筺体８０には、図３に示すように、第２伝達部材３２と干渉を回避するための前側開口部８２ｄ、後側開口部８２ｅが形成されている。前側開口部８２ｄは、図３（Ａ）及び図９に示すように、後ケース体８２の前側の周壁部８２ａに略長方形状の貫通孔として形成されている。後側開口部８２ｅは、図３（Ｂ）に示すように、後ケース体８２の後側の周壁部８２ａに、開閉部材２１と第２伝達部材３２の一部を後側に投影した形状の貫通孔として形成されている。そして、図９（Ｂ）に示すように、開閉部材２１が開放位置に位置する際に、第２伝達部材３２の被作用部３２ｅが前側開口部８２ｄに後方側から入り込む構成になっている。また、図９（Ａ）に示すように、開閉部材２１が閉鎖位置に位置する際に、第２伝達部材３２の作用部３２ｄが後側開口部８２ｅに前方側から入り込む構成になっている。このような構成によって、第２伝達部材３２が筺体８０と干渉することを回避し、第１伝達部材３１、第２伝達部材３２及び開閉部材２１の可動域を広げることができ、開閉部材２１の被作用部２１ｂを筺体８０内において遊技盤２の厚み内で変位するように構成することが可能となる。
【００４０】
次に、駆動源４０について説明する。
図５、図６に示すように、駆動源４０は、通電可能なコイルを備えたコイル部４１と、プランジャ４２と、ばね部材４３とを備えている。そして、図３（Ｂ）、図７、図８のように、開閉部材２１及び第２伝達部材３２の下方側で且つ遊技盤２の前面２ｂよりも後側の領域に配置されている。そして、コイル部４１によってプランジャ４２を駆動することにより、後述する第１伝達部材３１を後述する第１回動位置と第２回動位置とで変位させるように機能している。
【００４１】
プランジャ４２は、図５及び図６に示すように、軸状に構成されると共に、その一部がコイル部４１に形成された孔部（図示略）内に挿入されるようになっており、この孔部に沿って移動することによりコイル部４１に対して直線的に相対移動するようになっている。このプランジャ４２は、フランジ状に構成された先端部が後述する第１伝達部材３１と嵌合することで第１伝達部材３１に一体的に連結されており、第１伝達部材３１はプランジャ４２の変位に応じて回転運動するようになっている。
【００４２】
コイル部４１は、金属線が複数周巻き回されてなる中空状の金属コイルからなり、この金属コイルの通電、非通電が切り替えられることにより、励磁状態と非励磁状態とに切り替わるようになっている。このコイル部４１は、後ケース体８２と下ケース体８３とによって閉鎖された空間に収容されており、プランジャ４２はこの空間内において右方向に突出するように位置している。また、プランジャ４２は、コイル部４１が非励磁状態のときには、ばね部材４３によってプランジャ４２の先端部がコイル部４１から離間するように付勢され、図１１（Ａ）及び図１２（Ａ）に示す所定の突出位置に維持される。
【００４３】
一方、コイル部４１が励磁状態のときには、図１１（Ｂ）及び図１２（Ｂ）のように、プランジャ４２がコイル部４１内に引き込まれ、上記突出位置のときよりも後方への突出量が小さくなる状態（没入位置）で維持される。このように、プランジャ４２は、このコイル部４１の通電状態に応じてコイル部４１内に引き込まれた没入位置（図１１（Ｂ）及び図１２（Ｂ））とこの没入位置のときよりもコイル部４１から突出する突出位置（図１１（Ａ）及び図１２（Ａ））との間で左右に直線的に移動するようになっている。
【００４４】
次に、伝達機構３０について説明する。
伝達機構３０は、開閉部材２１と連動可能に構成され、駆動源４０の駆動力を受けて動作するとともに、開閉部材２１を閉鎖位置と開放位置とで変位させるように構成されている。この伝達機構３０は、駆動源４０側に配されてこの駆動源４０からの作用を受けて動作する第１伝達部材３１と、第１伝達部材３１の作用を受けて変位すると共に開閉部材２１に対して駆動力を伝達する第２伝達部材３２とを備えている。
【００４５】
開閉部材２１側に配置される第２伝達部材３２は、図５及び図６に示すように、全体としてＶ字状（へ字状）の形態をなし、その屈曲部分で連結される第１延長部３２ｂと第２延長部３２ｃとを備えている。この第２伝達部材３２は、屈曲部分が回転中心となるように、後ケース体８２に形成されたボス（軸）に挿通される回転軸孔３２ａが形成されており、第１延長部３２ｂは回転軸孔３２ａを中心とする半径方向に延出しており、第２延長部３２ｃは回転軸孔３２ａを中心とする半径方向であって第１延長部３２ｂとは異なる方向に延出している。第１延長部３２ｂの延出方向端部（先端部）には、回転軸孔３２ａ側に凹むＵ字状の作用部３２ｄが形成されており、第２延長部３２ｃの延出方向端部（先端部）には、回転軸孔３２ａ側に凹むＵ字状の被作用部３２ｅが形成されている。
【００４６】
この第２伝達部材３２は、開閉部材２１と連動可能に構成され、第１伝達部材３１から作用を受けて開閉部材２１を閉鎖位置と開放位置とで変位させるように機能している。具体的には、図９、図１０、図１１、図１２に示すように、第２伝達部材３２の被作用部３２ｅが、第１伝達部材３１の作用部３１ｃと嵌合状態（遊嵌状態）で連結しており、第１伝達部材３１の往復動（往復回動）に伴う作用部３１ｃの往復動と連動して被作用部３２ｅが回動することで第２伝達部材３２全体が回動動作するようになっている。そして、この第２伝達部材３２は、第１伝達部材３１の回動に応じて、図９（Ａ）、図１０（Ａ）、図１１（Ａ）及び図１２（Ａ）に示すような回動位置（図９（Ｂ）等に示す位置に対し上方から見て反時計回りに回転した第３回動位置）と、図９（Ｂ）、図１０（Ｂ）、図１１（Ｂ）及び図１２（Ｂ）に示すような回動位置（図９（Ａ）等に示す位置に対し上方から見て時計回りに回転した第４回動位置）とで、回転軸孔３２ａを中心として（より詳しくは上下方向の回転軸線を中心として）回転運動するようになっている。
【００４７】
そして、このような第２伝達部材３２の回動動作が開閉部材２１の直進動作に変換されるようになっている。上述したように、開閉部材２１は、前後方向に往復動可能となるように保持されており、第２伝達部材３２は、図９、図１０のように、自身の回動に伴って開閉部材２１に形成された被作用部２１ｂを前後に往復動させることで、開閉部材２１を前後に往復動させている。具体的には、第１延長部３２ｂがある程度長く構成され、作用部３２ｄが回転軸孔３２ａからある程度遠い位置となっているため、開閉部材２１の回動動作に伴って作用部３２ｄがほぼ前後方向に往復動し、これと嵌合（遊嵌）する被作用部２１ｂも開閉部材２１の回動動作に伴って前後方向に往復動するようになっている。
【００４８】
第１伝達部材３１は、第２伝達部材３２と連動可能に構成され、駆動源４０から駆動力を受けて動作すると共に第２伝達部材３２を変位（回動）させるように機能している。この第１伝達部材３１は、図５及び図６に示すように、軸状に構成される作用部３１ｃと、作用部３１ｃから延設される延出部３１ｂと、延出部３１ｂの一端から上方及び下方にそれぞれ突出する回転軸３１ａとを備えている。そして、図５に示すように、第１伝達部材３１の作用部３１ｃと延出部３１ｂの間には貫通孔である嵌合部３１ｄが形成されており、図１２（Ａ）に示すように、嵌合部３１ｄがプランジャ４２の先端部と嵌合することでプランジャ４２と第１伝達部材３１とが連動して動作するようになっている。プランジャ４２は、コイル部４１の駆動及び駆動解除に伴って左右方向に直線的に往復運動するようになっており、第１伝達部材３１は、プランジャ４２の変位に応じ、図９（Ａ）、図１０（Ａ）、図１１（Ａ）及び図１２（Ａ）に示すような回動位置（図９（Ｂ）等に示す位置に対し上方から見て反時計回りに回転した第１回動位置）と、図９（Ｂ）、図１０（Ｂ）、図１１（Ｂ）及び図１２（Ｂ）に示すような回動位置（図９（Ａ）等に示す位置に対し上方から見て時計回りに回転した第２回動位置）とで、上下方向に延びる回転軸３１ａを中心として回転運動するようになっている。ここで、「反時計回り」及び「時計回り」とは、それぞれ入賞装置１０の上方から下方に向かって見たときの反時計回り及び時計回りの方向である。
【００４９】
（遊技機用可変入賞装置の動作）
次に、以上のような構成を有する入賞装置１０の動作について概略を説明する。このような入賞装置１０において、コイル部４１が通電されていないときには、ばね部材４３の付勢によってプランジャ４２が突出位置に維持され、これにより第１伝達部材３１が、図９（Ａ）及び図１０（Ａ）に示すような回動位置（上述の第１回動位置）で維持されることになる。そして、このように第１伝達部材３１が第１回動位置にあるときには、第２伝達部材３２の被作用部３２ｅが第１伝達部材３１の作用部３１ｃに連動して保持されるため、第２伝達部材３２は、図９（Ａ）及び図１０（Ａ）に示すような回動位置（上述の第３回動位置）で維持されることになる。そして、このように第２伝達部材３２が第３回動位置にあるときには、前方側にある第２伝達部材３２の作用部３２ｄに対応する前方位置で開閉部材２１の被作用部２１ｂが保持されるため、開閉部材２１は、図９（Ａ）、図１０（Ａ）、図１１（Ａ）、図１２（Ａ）に示すように遊技盤２の前方側に大きく突出して誘導口２０を閉鎖する閉鎖位置で維持されることになる。
【００５０】
一方、コイル部４１が通電されると、ばね部材４３の付勢に抗してプランジャ４２がコイル部４１内に引き込まれ、プランジャ４２が没入位置に移動する。このとき、第１伝達部材３１は、回転軸３１ａを中心として回転し、図９（Ｂ）及び図１０（Ｂ）に示すような回動位置（上述の第２回動位置）で維持されることになる。そして、このように第１伝達部材３１が第２回動位置にあるときには、第２伝達部材３２の被作用部３２ｅが第１伝達部材３１の作用部３１ｃに連動して保持されるため、第２伝達部材３２は、図９（Ｂ）及び図１０（Ｂ）に示すような回動位置（上述の第４回動位置）で維持されることになる。そして、第２伝達部材３２が上記第４回動位置にあるときには、後方側にある第２伝達部材３２の作用部３２ｄに対応する後方位置で開閉部材２１の被作用部２１ｂが保持されるため、開閉部材２１は、図９（Ｂ）、図１０（Ｂ）、図１１（Ｂ）、図１２（Ｂ）に示すように大部分が遊技盤２の後方側に退避し、誘導口２０を開放する開放位置で維持されることになる。
【００５１】
更に、再びコイル部４１を非通電状態にすると、ばね部材４３の付勢によってプランジャ４２が突出位置に変位し、各構成部材が連動して、第２伝達部材３２は上述の第１回動位置に、第１伝達部材３１は上述の第３回動位置に、開閉部材２１は誘導口２０を閉鎖する閉鎖位置に変位することになる。また、図９及び図１０に示すように、後ケース体８２の周壁部８２ａの内側には、突起状のリブ８２ｈ,８２ｉ,８２ｊが形成されており、リブ８２ｈは、第２伝達部材３２が第４回動位置に変位したときに第１延長部３２ｂと当接することで、当該第２伝達部材３２がその当接位置を超えて回動することを規制している。リブ８２ｉ,８２ｊは、第１伝達部材３１が第１回動位置に変位したときに延出部３１ｂと当接することで、当該第１伝達部材３１がその当接位置を超えて回動することを規制している。このように、リブ８２ｈ,８２ｉ,８２ｊは、第１伝達部材３１及び第２伝達部材３２の回動を阻止するストッパーとしての機能を果たしている。また、第１伝達部材３１は、回転軸３１ａが後ケース体８２に支持され、回転軸３１ａから延出する延出部３１ｂがリブ８２ｉ,８２ｊによって支持されることとなり、遊技球が開閉部材２１に衝突した場合にその反発などによって、ガタつく（回動）ことがなく、安定させることができる。
【００５２】
（第１実施形態の主な効果）
第１実施形態に係る入賞装置１０では、伝達機構３０は、開閉部材２１の上方又は下方若しくは側方において被作用部２１ｂを遊技盤２の後面２ｃよりも前方側の範囲で動作させるように構成されている。そして、このような構成により、開閉部材２１は、開放位置のときでも後端部２１ｃが遊技盤２の後面２ｃと同位置又はこれよりも前方に位置するようになっている。
この構成では、伝達機構３０の作用を受けて動作する開閉部材２１が遊技盤２の後面２ｃから前方側の領域において開放位置と閉鎖位置とに変位することになり、特に、開閉部材２１は、後方側に退避した開放位置のときでも後端が遊技盤２の後面２ｃと同位置またはこれよりも前方に位置するようになっているため、開閉部材２１が遊技盤２の後側に配置される部品と干渉することがなくなり、ひいては、装置を全体的に遊技盤２の後面２ｃよりも前方に配置しやすくなるため、遊技盤２後方のスペースを入賞装置１０以外の他の用途に有効に利用することができる。
また、伝達機構３０についても、上記のように配置される開閉部材２１の上方又は下方若しくは側方で当該開閉部材２１を動作させるように配置されているため、伝達機構３０が後方側に嵩張ることがなく、入賞装置１０全体として前後方向のコンパクト化（特に後方領域の削減）を図りやすくなる。
【００５３】
また、本実施形態において、開閉部材２１は、被作用部２１ｂを自身の後部側に形成し、伝達機構３０は、開閉部材２１を変位させるときに被作用部２１ｂを遊技盤２の前面２ｂと後面２ｃとの間の厚み内で変位させるように構成されていてもよい。
このようにすると、開閉部材２１の被作用部２１ｂ、及び伝達機構３０における被作用部２１ｂに作用する部分が誘導路６０に入り込むことがなく、誘導路６０に入賞した遊技球がこれら部分と接触することがなくなり、球噛みや球詰まりなど遊技球の円滑な流下を妨げる虞がない。また、遊技盤２の前方側から開閉部材２１を不正に開放する操作が行いにくくなり、不正開放操作による不正賞球獲得を効果的に防止することができる。
【００５４】
また、本実施形態において、開閉部材２１は、開放位置のときに前端が遊技盤２の前面２ｂよりも前方に位置するように構成されていてもよい。
この構成では、開放位置のときに開閉部材２１の後端を遊技盤２後面２ｂに収めつつも、前端については完全に遊技盤２内に収めることなく遊技盤２前側の領域を利用して配置することができるため、開閉部材２１の前後方向の幅を大きく形成することができる。このように前後方向の幅を大きく形成すると、閉鎖位置のときに、開閉部材２１をより前方位置まで及ぼすことができ、誘導口２０をより確実に閉鎖すると共に開閉部材２１上方においてより円滑に遊技球を流下させることができる。
また、開放位置のときに開閉部材２１の前端が遊技盤２前側にある程度突出して配置されるため、開放位置から閉鎖位置までの開閉部材２１の移動距離が短縮され、開放状態となっている誘導口２０を閉鎖するまでに要する時間を短縮することができる。従って、開閉部材２１を閉鎖する制御の開始後に余分な遊技球が誘導口２０内に進入してしまうことを抑制することができる。
更に、開放位置のときに開閉部材２１の一部を遊技盤２前面２ｂの前方に突出させたままとしているので、開放位置から閉鎖位置に変位する際に、開閉部材２１の前端が遊技盤２の前面２ｂの開口端或いはこの付近の部材に引っ掛かりにくくなり、開放状態が意図せずに維持されてしまうことをより確実に防ぐことができる。
【００５５】
また、本実施形態において、筐体８０には、遊技盤２の前面２ｂに沿って配置される板状の台板８５ａが設けられていてもよい。そして、台板８５ａには、開閉部材２１の上方側において前方側に突出する庇部８６が設けられ、この庇部８６は、開閉部材２１が開放位置となったときに当該開閉部材２１の前端を上方で被覆するように構成してもよい。
この構成では、開閉部材２１が開放位置にあるときには、誘導口２０に向けて流下してきた遊技球が開閉部材２１に接触する前に、或いは開閉部材２１に接触することなく庇部８６に接触しやすくなるため、開閉部材２１に対して遊技球による直接的な衝撃が加わることを抑制ないし防止することができる。従って、開閉部材２１やこれと連動する伝達機構３０等に対して遊技球の接触に起因するダメージが加わりにくくなり、製品の寿命を確実に延ばすことができる。
また、開放位置のときには、開閉部材２１の前端を遊技盤２前面２ｂの前方側にある庇部８６の下方位置でとどめておくことができるため、この構成でも、開放位置から閉鎖位置までの開閉部材２１の移動距離が短縮され、開放状態となっている誘導口２０を閉鎖するまでに要する時間を短縮することができる。従って、開閉部材２１を閉鎖する制御の開始後に余分な遊技球が誘導口２０内に進入してしまうことを抑制することができる。
【００５６】
［第２実施形態]
次に、本発明における第２実施形態に係る遊技機用入賞装置について説明する。なお、以下の説明では、上述した第１実施形態と異なる部分について主に述べ、重複する部分については同番号の符号を付して説明を省略又は簡略化する。
【００５７】
第２実施形態に係る入賞装置１００は、図１３及び図１５に示すように、遊技盤２の前方側において開閉部材１２１の上方側となる領域を含み該遊技盤２の前面２ｂと略平行に配置される板状の前飾り板１８７ａが前飾り部材１８７（筐体８０）に設けられている。すなわち、前飾り板１８７ａは、誘導路６０の前面側を覆うとともに、上端が開閉部材１２１よりも上方に位置するように形成されている。そして、開閉部材１２１は、図１４及び図１５（Ａ）に示すように、閉鎖部１２１ａが閉鎖位置のときに前端１２１ｆが前飾り板１８７ａとの間に遊技球の半径ｒよりも小さい幅ｄだけ離間するように配置されている。これにより、入賞装置１００は、図１５（Ａ）（Ｂ）に示すように、閉鎖部１２１ａの前後方向の幅（長さ）が狭くなり、閉鎖位置と開放位置との間の移動距離が短くなるので、被作用部１２１ｂ及び後端部１２１ｃを後ケース体８２内で問題なく動作することができるようになっている。すなわち、入賞装置１００には、後ケース体８２の周壁部８２ａに後側開口部８２ｅ（第１実施形態参照）が形成されておらず、簡単な形状でコンパクトに形成されている。
【００５８】
（第２実施形態の主な効果）
第２実施形態の構成では、開閉部材１２１の上方側となる領域を含む前飾り板１８７ａが形成され、閉鎖部１２１ａ（開閉部材１２１）が閉鎖位置のときに前端１２１ｆを前飾り板１８７ａに当接させず離間するように配置されているため、開放位置のときに後方への移動距離を短縮することができ、ひいては、伝達機構３０が後方側に嵩張ることがなく、入賞装置１００全体として前後方向のコンパクト化（特に後方領域の削減）を図りやすくなる。
また、前飾り板１８７ａが配置されているため、閉鎖部１２１ａ（開閉部材１２１）の前端１２１ｆが離間した状態であっても誘導口２０をより確実に閉鎖すると共に開閉部材１２１上方においてより円滑に遊技球を流下させることができる。また、開放位置から閉鎖位置までの開閉部材１２１の移動距離が短縮され、開放状態となっている誘導口２０を閉鎖するまでに要する時間を短縮することができる。従って、開閉部材１２１を閉鎖する制御の開始後に余分な遊技球が誘導口２０内に進入してしまうことを抑制することができる。
【００５９】
［他の実施形態]
上記第１実施形態では、開閉部材２１の被作用部２１ｂが、開閉部材２１の下面側における後端部２１ｃ付近（後部側）かつ中央部付近から下方側に突出するように形成される構成を例示したが、後端部２１ｃよりもある程度前の位置等のその他の位置に形成される構成としてもよい。
【００６０】
また、上記第１実施形態では、伝達機構３０の作用を受ける被作用部２１ｂが、遊技盤２における前面２ｂと後面２ｃの間の厚み内で変位する構成を例示したが、開閉部材２１が閉鎖位置にあるときに、開閉部材２１の被作用部２１ｂが、遊技盤２の前面２ｂよりも前方に位置する構成としてもよい。
【符号の説明】
【００６１】
１…遊技機
２…遊技盤
２ｂ…前面（盤面）
２ｃ…後面
１０，１００…遊技機用可変入賞装置（入賞装置）
２０…誘導口
２１，１２１…開閉部材
２１ａ，１２１ａ…閉鎖部
２１ｂ，１２１ｂ…被作用部
２１ｃ，１２１ｃ…後端部
２１ｄ…上側摺動部
２１ｅ…下側摺動部
１２１ｆ…前端
３０…伝達機構
３１…第１伝達部材
３１ａ…回転軸
３１ｂ…延出部
３１ｃ…作用部
３１ｄ…嵌合部
３２…第２伝達部材
３２ａ…回転軸孔
３２ｂ…第１延長部
３２ｃ…第２延長部
３２ｄ…作用部
３２ｅ…被作用部
４０…駆動源
４１…コイル部
４２…プランジャ
４３…ばね部材
５０…誘導樋
５１…下流側誘導樋
５１ａ…下側壁部
５２…上流側誘導樋
５２ａ…上側壁部
６０…誘導路
６０ａ…排出部
６２…球検出部
６２ａ…遊技球通過孔
６２ｂ…上面部
６２ｃ…下面部
８０…筐体
８１…前ケース体
８１ａ…板部
８１ｂ…案内孔
８１ｃ…周壁部
８１ｄ…収容部
８１ｅ…上壁部
８１ｆ…左側ガイド部
８１ｇ…右側ガイド部
８１ｈ…レール部
８２…後ケース体
８２ａ…周壁部
８２ｂ…下側ガイド部
８２ｃ…誘導突起部
８２ｄ…前側開口部
８２ｅ…後側開口部
８２ｆ…左側ガイド部
８２ｇ…右側ガイド部
８２ｈ,８２ｉ,８２ｊ…リブ
８３…下ケース体
８３ａ…貫通孔
８５…台板部材
８５ａ…台板
８５ｂ…突出部
８５ｃ…貫通孔
８５ｄ…上側ガイド部
８６…庇部
８７，１８７…前飾り部材
８７ａ，１８７ａ…前飾り板
８７ｂ…取付部
８７ｃ…孔部
８８…締結部材
Ｂ…遊技球
ｒ…遊技球の半径
【図１】
0006021251.tif 000002
【図２】
0006021251.tif 000003
【図３】
0006021251.tif 000004
【図４】
0006021251.tif 000005
【図５】
0006021251.tif 000006
【図６】
0006021251.tif 000007
【図７】
0006021251.tif 000008
【図８】
0006021251.tif 000009
【図９】
0006021251.tif 000010
【図１０】
0006021251.tif 000011
【図１１】
0006021251.tif 000012
【図１２】
0006021251.tif 000013
【図１３】
0006021251.tif 000014
【図１４】
0006021251.tif 000015
【図１５】
0006021251.tif 000016